(57)【要約】【課題】電子機器からの排気の一部を循環させる場合に、電子機器への吸気の温度を調整できるようにする。【解決手段】循環制御システムを、電子機器搭載ラック３の一方の側のコールドアイル７の上方に設けられ、先端面６Ｘの高さ方向位置を調整する高さ方向位置調整機構６Ｙを有するダクト突出部６Ａと、電子機器搭載ラックの他方の側のホットアイル８からコールドアイルへの暖気循環量が変わるように温度に基づいて高さ方向位置調整機構を制御する制御部２０とを備えるものとする。【選択図】図１
2016091524.tif 000002
【特許請求の範囲】
【請求項１】
電子機器搭載ラックの一方の側のコールドアイルの上方に設けられ、先端面の高さ方向位置を調整する高さ方向位置調整機構を有するダクト突出部と、
前記電子機器搭載ラックの他方の側のホットアイルから前記コールドアイルへの暖気循環量が変わるように温度に基づいて前記高さ方向位置調整機構を制御する制御部とを備えることを特徴とする循環制御システム。
【請求項２】
前記制御部は、温度が第１閾値以上になった場合に、前記ホットアイルから前記コールドアイルへの暖気循環量が減るように、前記高さ方向位置調整機構を制御することを特徴とする、請求項１に記載の循環制御システム。
【請求項３】
前記制御部は、温度が第２閾値未満になった場合に、前記ホットアイルから前記コールドアイルへの暖気循環量が増えるように、前記高さ方向位置調整機構を制御することを特徴とする、請求項１又は２に記載の循環制御システム。
【請求項４】
前記ダクト突出部に、外気導入用ファンが取り付けられており、
前記コールドアイルに設けられたコールドアイル側圧力センサと、
前記ホットアイルに設けられたホットアイル側圧力センサとを備え、
前記制御部は、前記コールドアイル側圧力センサ及び前記ホットアイル側圧力センサによって検出された圧力に基づいて前記外気導入用ファンを制御することを特徴とする、請求項１〜３のいずれか１項に記載の循環制御システム。
【請求項５】
前記制御部は、前記コールドアイル側圧力センサによって検出された圧力が前記ホットアイル側圧力センサによって検出された圧力よりも低くなった場合に、前記外気導入用ファンの回転数が上がるように前記外気導入用ファンを制御することを特徴とする、請求項４に記載の循環制御システム。
【請求項６】
前記制御部は、前記コールドアイル側圧力センサによって検出された圧力が前記ホットアイル側圧力センサによって検出された圧力よりも高くなった場合に、前記外気導入用ファンの回転数が下がるように前記外気導入用ファンを制御することを特徴とする、請求項４又は５に記載の循環制御システム。
【請求項７】
前記電子機器搭載ラックに搭載された電子機器と、
請求項１〜６のいずれか１項に記載の循環制御システムを有し、前記ダクト突出部から前記コールドアイルに供給された外気及び前記ホットアイルから前記コールドアイルへの循環暖気によって前記電子機器を冷却する冷却システムとを備えることを特徴とする情報処理システム。
【発明の詳細な説明】
【技術分野】
【０００１】
本発明は、循環制御システム及び情報処理システムに関する。
【背景技術】
【０００２】
ネットワーク技術の発達に伴い、ネットワークを経由して様々なサービスをユーザに提供するネットワークサービスが注目されつつある。
そのようなサービスを提供するサービス事業者は、例えばソフトウエアパッケージやアプリケーションソフトウェアを実行するためのプラットホームをネットワーク経由でユーザに提供する。
【０００３】
これらのサービスを提供するための情報処理システムは、サーバ等の電子機器をラックに複数設け、更に、これらのラックはサービス事業者が所有するサーバルーム等のデータセンタに備えられる。なお、電子機器をＩＴ（Information Technology）機器ともいう。
このようなデータセンタでは、電子機器を冷却するために冷却システムが設けられる。
【先行技術文献】
【特許文献】
【０００４】
【特許文献１】特開平８−９７５８３号公報
【特許文献２】特開２０１２−２４８１３６号公報
【発明の概要】
【発明が解決しようとする課題】
【０００５】
ところで、近年、高度情報化社会の到来に伴い、電子機器で多量のデータが取り扱われるようになり、データセンタの必要性がますます重要になってきている。
このような需要の増大に対し、運用側では、より低コストでサービスを提供できるよう、データセンタの運用コスト低減に向けた取り組みが行なわれている。
このうち、データセンタの消費電力を抑え、電気料金を低減するために、エアコンを使わない外気冷却方式が注目されている。
【０００６】
外気冷却方式は、コンプレッサの動力を要さないことから、データセンタの省エネ運用が可能となる空調方式である。
この外気冷却方式の中でも、外気（冷気）を直接データセンタ内部に取り入れる直接外気冷却方式は、特に、外気を直接利用できることから、究極の省エネ効果が期待されている。
【０００７】
また、電子機器からの排気（暖気）の一部を循環させ、電子機器への吸気の温度を調整することも考えられる。
しかしながら、単に排気を循環させるだけでは、外気の温度は年間を通して大きく変化し、また、電子機器における発熱量もユーザ側の利用状況によって一律ではないため、電子機器への吸気の温度を調整するのは難しい。
【０００８】
そこで、電子機器からの排気の一部を循環させる場合に、電子機器への吸気の温度を調整できるようにしたい。
【課題を解決するための手段】
【０００９】
本循環制御システムは、電子機器搭載ラックの一方の側のコールドアイルの上方に設けられ、先端面の高さ方向位置を調整する高さ方向位置調整機構を有するダクト突出部と、電子機器搭載ラックの他方の側のホットアイルからコールドアイルへの暖気循環量が変わるように温度に基づいて高さ方向位置調整機構を制御する制御部とを備える。
本情報処理システムは、電子機器搭載ラックに搭載された電子機器と、上記の循環制御システムを有し、ダクト突出部からコールドアイルに供給された外気及びホットアイルからコールドアイルへの循環暖気によって電子機器を冷却する冷却システムとを備える。
【発明の効果】
【００１０】
したがって、本循環制御システム及び情報処理システムによれば、電子機器からの排気の一部を循環させる場合に、電子機器への吸気の温度を調整できるという利点がある。
【図面の簡単な説明】
【００１１】
【図１】本実施形態にかかる循環制御システム及び情報処理システムを説明するための模式図である。
【図２】（Ａ）、（Ｂ）は、本実施形態にかかる循環制御システムに備えられるダクト突出部の構成を示す模式図であり、（Ａ）は縮んだ状態を示しており、（Ｂ）は伸びた状態を示している。
【図３】本実施形態にかかる循環制御システムに備えられるダクト突出部の高さ方向位置調整機構を制御してダクト突出部を伸ばした状態を示す模式図である。
【図４】本実施形態にかかる循環制御システムに備えられるダクト突出部の高さ方向位置調整機構を制御してダクト突出部を縮ませた状態を示す模式図である。
【図５】本実施形態の変形例にかかる循環制御システム及び情報処理システムを説明するための模式図である。
【図６】本実施形態にかかる循環制御システムに備えられるダクト突出部の高さ方向位置調整機構及び外気導入用ファンの制御を説明するための模式図である。
【図７】本実施形態にかかる循環制御システムに備えられるダクト突出部の高さ方向位置調整機構及び外気導入用ファンを制御するための構成を示すブロック図である。
【図８】本実施形態にかかる循環制御システムに備えられるダクト突出部の高さ方向位置調整機構及び外気導入用ファンの制御における処理の流れを説明するためのフローチャートである。
【図９】本実施形態にかかる循環制御システムによる効果を確認するための熱流体解析に用いたモデルを示す模式図である。
【図１０】（Ａ）〜（Ｃ）は、本実施形態にかかる循環制御システムによる効果を確認するための熱流体解析の温度解析結果を示す、サーバ横方向から見た図であって、（Ａ）は高さ方向位置が３ｍの場合、（Ｂ）は高さ方向位置が４ｍの場合、（Ｃ）は高さ方向位置が５ｍの場合を示している。
【図１１】（Ａ）〜（Ｃ）は、本実施形態にかかる循環制御システムによる効果を確認するための熱流体解析の温度解析結果を示す、サーバ正面方向（吸気直前）から見た図であって、（Ａ）は高さ方向位置が３ｍの場合、（Ｂ）は高さ方向位置が４ｍの場合、（Ｃ）は高さ方向位置が５ｍの場合を示している。
【発明を実施するための形態】
【００１２】
以下、図面により、本発明の実施の形態にかかる循環制御システム及び情報処理システムについて、図１〜図１１を参照しながら説明する。
本実施形態の循環制御システムは、例えば、外気（冷気）を導入して例えばサーバなどの電子機器を冷却する外気導入型データセンタ（外気利用型データセンタ）、特に、外気を直接データセンタ内部に取り入れる直接外気冷却方式のデータセンタ（直接外気導入型データセンタ）において用いられる。
【００１３】
このような外気導入型データセンタは、電子機器よりも低い温度の外気を導入するようにした冷却システムを用い、外気で電子機器を冷却するため、冷却空気を生成するための電力が不要であり、データセンタの消費電力を抑えることができる。
例えば、直接外気導入型データセンタは、図１に示すように、複数台のサーバ２（電子機器）が搭載されたサーバラック３（電子機器搭載ラック）が複数台並列に設置されているサーバルーム１を備える。
【００１４】
ここでは、サーバルーム１は、その上部に外気導入口４及び排気口５を備える。また、外気導入口４には、外気導入用ダクト６が接続されている。この外気導入用ダクト６は、サーバルーム１の上部に張り巡らされている。
また、各サーバラック３の一方の側がコールドアイル７になっており、各サーバラック３の他方の側がホットアイル８になっている。ここでは、サーバルーム１内に４つのサーバラック３が設置されており、これらのサーバラック３の両側が、サーバルーム１の一方の側（図中、左側）から順に、ホットアイル８、コールドアイル７、ホットアイル８、コールドアイル７、ホットアイル８となっている。つまり、隣接するサーバラック３間でコールドアイル７やホットアイル８を共用できるように、隣接するサーバラック３において、サーバ２が、吸気側、排気側を逆にして搭載されている。
【００１５】
そして、外気導入口４から外気導入用ダクト６に導入された外気は、コールドアイル７の上方に設けられた外気導入用ファン９によってサーバルーム１内に導入され、上方から下方へ吹き降ろされて、サーバラック３に搭載された各サーバ２の吸気側のコールドアイル７に供給されるようになっている。また、サーバ２は、それぞれに設けられたサーバ内蔵ファン（電子機器内蔵ファン）１０によって、コールドアイル７側の前面から吸気し、ホットアイル８側の背面から排気するようになっている。また、サーバラック３に搭載されたサーバ２からの排気は、下方から上方へ上がり、即ち、ホットアイル８からサーバルーム１の天井へ向けて上がり、サーバルーム１の天井付近の空間を通って、排気口５から外部へ排出されるようになっている。また、サーバ２からの排気の一部は、サーバラック３の上方の空間を通って、ホットアイル８からコールドアイル７へ流れるようになっている。つまり、サーバ２からの排気の一部は、サーバ２の吸気側へ循環するようになっている。この場合、外気導入用ダクト６から外気導入用ファン９を介して供給される外気に、サーバ２からの排気である暖気（循環暖気）が混合され、外気の温度が暖気で調整されて、吸気として、サーバ２の前面から吸い込まれることになる。
【００１６】
ところで、外気導入型データセンタにおいて、サーバ２からの排気の一部を循環させ、サーバ２への吸気の温度を調整する場合、単に排気を循環させるだけでは、外気の温度は年間を通して大きく変化し、また、サーバ２における発熱量もユーザ側の利用状況によって一律ではないため、サーバ２への吸気の温度を調整するのは難しい。
そこで、サーバ２からの排気の一部を循環させる場合に、サーバ２への吸気の温度を調整できるようにすべく、本実施形態では、以下に説明するような循環制御システムを設けている。
【００１７】
本実施形態の循環制御システムは、コールドアイル７の上方に設けられ、先端面６Ｘの高さ方向位置を調整する高さ方向位置調整機構６Ｙを有するダクト突出部６Ａと、ホットアイル８からコールドアイル７への暖気循環量が変わるように温度に基づいて高さ方向位置調整機構６Ｙを制御する制御部２０とを備える。
つまり、外気導入用ダクト６は、コールドアイル７の上方に設けられ、先端面６Ｘの高さ方向位置を調整する高さ方向位置調整機構６Ｙを有する突出部（ダクト突出部）６Ａを備える。そして、制御部２０が、ホットアイル８からコールドアイル７への暖気循環量が変わるように温度に基づいて高さ方向位置調整機構６Ｙを制御するようになっている。
【００１８】
ここでは、制御部２０は、温度が第１閾値以上になった場合に、ホットアイル８からコールドアイル７への暖気循環量が減るように、高さ方向位置調整機構６Ｙを制御するようになっている（図３参照）。また、制御部２０は、温度が第２閾値未満になった場合に、ホットアイル８からコールドアイル７への暖気循環量が増えるように、高さ方向位置調整機構６Ｙを制御するようになっている（図４参照）。なお、高さ方向位置調整機構６Ｙを制御することで、暖気循環量が調整されることになるため、高さ方向位置調整機構６Ｙを、暖気循環量調整機構ともいう。
【００１９】
また、コールドアイル７に温度センサ１１が設けられており、制御部２０（高さ方向位置制御部２１）は、温度センサ１１によって検出された温度に基づいて高さ方向位置調整機構６Ｙを制御するようになっている（図６参照）。
また、ダクト突出部６Ａに、外気導入用ファン９が取り付けられている。また、コールドアイル７にコールドアイル側圧力センサ１２が設けられており、ホットアイル８にホットアイル側圧力センサ１３が設けられている。そして、制御部２０（ファン制御部２２）は、コールドアイル側圧力センサ１２及びホットアイル側圧力センサ１３によって検出された圧力に基づいて外気導入用ファン９を制御するようになっている。
【００２０】
ここでは、制御部２０（ファン制御部２２）は、コールドアイル側圧力センサ１２によって検出された圧力がホットアイル側圧力センサ１３によって検出された圧力よりも低くなった場合に、外気導入用ファン９の回転数が上がるように外気導入用ファン９を制御するようになっている。また、制御部２０（ファン制御部２２）は、コールドアイル側圧力センサ１２によって検出された圧力がホットアイル側圧力センサ１３によって検出された圧力よりも高くなった場合に、外気導入用ファン９の回転数が下がるように外気導入用ファン９を制御するようになっている。
【００２１】
この場合、外気導入型データセンタは、サーバラック３に搭載された複数のサーバ２（即ち、複数の電子機器）と、上述の循環制御システムを有し、ダクト突出部６Ａからコールドアイル７に供給された外気及びホットアイル８からコールドアイル７への循環暖気によってサーバ２を冷却する冷却システムとを備えることになる。つまり、本実施形態にかかる情報処理システムは、電子機器搭載ラック３に搭載された電子機器２と、上述の循環制御システムを有し、ダクト突出部６Ａからコールドアイル７に供給された外気及びホットアイル８からコールドアイル７への循環暖気によって電子機器２を冷却する冷却システムとを備える。
【００２２】
上述のような循環制御システムを設けることで、例えば、外気の温度や湿度が高すぎず、かつ、低すぎない春秋の中間期において、外気をサーバルーム１内に取り入れ、外気の温度が低くなる冬季、外気の湿度が高くなる雨天時などには、サーバ２からの排気の一部を循環させ、サーバ２への吸気の温度を上げ、相対湿度を下げ、外気の温度や湿度が高くなる夏季などには、サーバ２からの排気をほとんど循環させないというような運用が可能となる。このように、オールシーズンにおいて、サーバ２への吸気の温度や湿度を調整することが可能となる。つまり、単に外気導入用ファン９（外気供給用ファン；アイルファン）の風量調整を行なうだけでは、このようなオールシーズンにおけるサーバ２への吸気の温度や湿度を調整することは難しいのに対し、上述のような循環制御システムを用いることで、オールシーズンにおけるサーバ２への吸気の温度や湿度を調整することが可能となる。
【００２３】
また、例えば、外気導入用ファン９の設置高さ、外気導入用ファン９やサーバ内蔵ファン１０の運転状況によって、循環暖気の温度や風量が変化するため、循環暖気のショートサーキットが起こる。また、本来ならばサーバラック３に搭載される各サーバ２に供給される外気が循環暖気によって均一に加温され、各サーバ２への吸気の温度が均一になるのが望ましいが、ショートサーキットによって、暖気はサーバラック３の上方から循環してくるため、サーバラック３の上部に搭載されたサーバ２への吸気の温度が上がりやすくなり、各サーバ２への吸気の温度が不均一となってしまう。特に、外気を冷却に利用する外気導入型データセンタでは、年間を通して外気の温度は大きく変動するため、外気の必要な風量は、外気の温度、湿度によって大きく変動する。また、サーバ２の発熱量もユーザ側の利用状況によって一律ではないことから、サーバ内蔵ファン１０の風量も一律ではなく、循環暖気の風量、温度も変動する。このような事から、単に外気導入用ファン９の風量調整を行なうだけでは、オールシーズンにおけるサーバ２への吸気の温度分布を軽減するのは難しい。これに対し、上述のような循環制御システムを用いることで、オールシーズンにおけるサーバ２への吸気の温度分布を軽減することも可能となる。
【００２４】
このように、上述のような循環制御システムを用いることで、外気の温度やサーバ２の負荷等が変化しても、サーバ２への吸気の温度が調整され、また、各サーバ２への吸気の温度分布が少なくなるように、ダクト突出部６Ａの先端面６Ｘの高さ方向位置、即ち、ダクト突出部６Ａとサーバラック３の上部との間の開口部の大きさ、また、ダクト突出部６Ａの先端部に取り付けられた外気導入用ファン９の高さ方向位置、さらには、外気導入用ファン９の回転数、即ち、外気導入用ファン９によってコールドアイル７に供給される外気の流量（風量）が制御されるようにすることができる。
【００２５】
なお、外気導入型データセンタのサーバルーム１への外気の供給及び暖気の排出方法としては、本実施形態のように、サーバルーム１の天井側から外気を供給し、天井側から暖気を排出する方法のほかに、例えば図５に示すように、サーバルーム１の床側から外気を供給し、天井側から暖気を排出する方法もある。この場合、上述の実施形態の場合と同様に、サーバルーム１の天井側に設けられたダクト（暖気排出用ダクト６０）に、先端面６０Ｘの高さ方向位置を調整する高さ方向位置調整機構６０Ｙを有する突出部（ダクト突出部）６０Ａを設ければ良い。つまり、サーバラック３の一方の側のコールドアイル７の上方に、先端面６０Ｘの高さ方向位置を調整する高さ方向位置調整機構６０Ｙを有するダクト突出部６０Ａを設ければ良い。この場合、ダクト突出部６０Ａの先端面６０Ｘは閉じられており、サーバルーム１の床側に外気導入用開口部が設けられ、そこに外気導入用ファン９が設けられることになる。そして、制御部２０によって、サーバラック３の他方の側のホットアイル８からコールドアイル７への暖気循環量が変わるように温度に基づいて高さ方向位置調整機構６０Ｙを制御するようにすれば良い。但し、サーバルーム３の床側から外気を供給し、天井側から暖気を排出する場合、二重床にする必要があり、また、データセンタの建屋の外気取込口が屋上に設置される場合も多いことから、既存の部屋をサーバルームに置き換える場合には、上述の実施形態のように、サーバルーム１の天井側から外気を供給し、天井側から暖気を排出するようにするのが好ましい。
【００２６】
以下、本実施形態の循環制御システムについて、具体的に説明する。
まず、本実施形態では、図１に示すように、外気導入用ダクト６に突出部（ダクト突出部）６Ａが設けられており、ダクト突出部６Ａは、コールドアイル７の上方に、先端面６Ｘの高さ方向位置を調整する高さ方向位置調整機構６Ｙ（高さ方向位置調整部）を有する。なお、ここでは、ダクト突出部６Ａの先端部に外気導入用ファン９が取り付けられているため、高さ方向位置調整機構６Ｙは、外気導入用ファン９の高さ方向位置を調整する機構でもあるため、これをファン高さ位置調整機構ともいう。
【００２７】
ここでは、高さ方向位置調整機構６Ｙは、伸縮機構（伸縮部）や駆動機構（駆動部）などを含み、例えば、機械駆動式の伸縮機構とし、センサ情報に基づいてダクト突出部６Ａの先端面６Ｘの高さ方向位置（外気導入用ファンの高さ方向位置）を上下できるようにするものである。ここで、伸縮機構は漏れがない構成とし、上下に動かしても外気が外気導入用ダクト外へ漏出したり、外部への排気が逆に外気導入用ダクト内に逆流したりしないようにする。例えば図２（Ａ）、図２（Ｂ）に示すように、高さ方向位置調整機構６Ｙに含まれる伸縮機構は、風圧で変形せず、気流の漏えいがない、薄い金属やプラスチック、あるいは、厚手の布などの素材からなるものとし、蛇腹状になっていることで伸縮可能になっているものとすれば良い。なお、高さ方向位置調整機構６Ｙに含まれる伸縮機構は、蛇腹状になっていて伸縮可能になっているものでなくても良く、例えば板状部材をスライドさせる又は折り畳むことで伸縮可能になっているものでも良いし、又は、伸縮素材を用いることで伸縮可能になっているものでも良い。
【００２８】
また、制御部２０は、図６に示すように、ホットアイル８からコールドアイル７への暖気循環量が変わるように温度に基づいて高さ方向位置調整機構６Ｙを制御する高さ方向位置制御部２１を含む。
ここでは、コールドアイル７に温度センサ１１が設けられており、高さ方向位置制御部２１は、温度センサ１１によって検出された温度に基づいて高さ方向位置調整機構６Ｙを制御するようになっている。
【００２９】
ここでは、制御部２０（高さ方向位置制御部２１）は、温度センサ１１によって検出された温度が第１閾値以上になった場合に、ホットアイル８からコールドアイル７への暖気循環量が減るように、高さ方向位置調整機構６Ｙを制御するようになっている。つまり、制御部２０（高さ方向位置制御部２１）は、温度センサ１１によって検出された温度が第１閾値以上になった場合に、図３に示すように、ダクト突出部６Ａに備えられる高さ方向位置調整機構６Ｙが伸びてその先端面６Ｘが下がるように、即ち、ダクト突出部６Ａの先端面６Ｘがサーバラック３及びコールドアイル７に近づいてダクト突出部６Ａとサーバラック３との間の開口部が狭くなるように、高さ方向位置調整機構６Ｙを制御するようになっている。なお、「暖気循環量が減る」には「暖気循環量がゼロになる」場合も含むものとする。
【００３０】
また、制御部２０（高さ方向位置制御部２１）は、温度センサ１１によって検出された温度が第２閾値未満になった場合に、ホットアイル８からコールドアイル７への暖気循環量が増えるように、高さ方向位置調整機構６Ｙを制御するようになっている。つまり、制御部２０（高さ方向位置制御部２１）は、温度センサ１１によって検出された温度が第２閾値未満になった場合に、図４に示すように、ダクト突出部６Ａに備えられる高さ方向位置調整機構６Ｙが縮んでその先端面６Ｘが上がるように、即ち、ダクト突出部６Ａの先端面６Ｘがサーバラック３及びコールドアイル７から遠くなってダクト突出部６Ａとサーバラック３との間の開口部が広くなるように、高さ方向位置調整機構６Ｙを制御するようになっている。
【００３１】
なお、第１閾値と第２閾値は、異なる値であっても良いし、同じ値であっても良い。
このように、外気の温度条件やサーバ２の稼働状態に基づいて、暖気循環量（循環暖気の風量）を落とす必要があれば、ダクト突出部６Ａに備えられる高さ方向位置調整機構６Ｙを伸ばしてその先端面６Ｘ及びそこに取り付けられた外気導入用ファン９をサーバラック３の直上付近まで降ろす。これにより、外気導入用ファン９が搭載されたダクト突出部６Ａとサーバラック３の隙間が狭まるため、循環暖気が流れにくくなり、暖気循環量を少なくすることができる。
【００３２】
一方、暖気循環量を上げる必要があれば、ダクト突出部６Ａに備えられる高さ方向位置調整機構６Ｙを縮めてその先端面６Ｘ及びそこに取り付けられた外気導入用ファン９をサーバラック３から遠ざける。これにより、外気導入用ファン９が搭載されたダクト突出部６Ａとサーバラック３の隙間が広がるため、循環暖気が流れやすくなり、暖気循環量を多くすることができる。
【００３３】
このようにして、外気導入用ファン９が搭載されたダクト突出部６Ａに備えられる高さ方向位置調整機構６Ｙを伸縮させ、ダクト突出部６Ａの先端面６Ｘ及びそこに取り付けられた外気導入用ファン９の高さ方向位置を上下させることで、暖気循環量をコントロールすることができる。
ここで、温度センサ１１は、１つであっても良いし、複数であっても良い。例えば、各コールドアイル７に１つずつ温度センサ１１を設けても良いし、各コールドアイル７のそれぞれに複数の温度センサ１１を設けても良い。つまり、測定点は、各コールドアイル７につき１点以上あれば良く、測定点の数に特に制限はない。また、同一コールドアイル７内で複数の測定点がある場合には、すべての測定点における温度情報を閾値と比較するようにすれば良い。また、循環暖気によって各サーバ２への吸気の温度分布が生じてしまうことを考慮すると、温度センサ１１は、サーバラック３の上部に搭載されるサーバ２の吸気側に設けるのが好ましい。但し、その他の場所に設ける場合であっても、その他の場所の温度とサーバラック３の上部に搭載されるサーバ２の吸気側の温度との間の相関がわかっていれば、その他の場所の温度を温度センサ１１によって計測することで、サーバラック３の上部に搭載されるサーバ２の吸気側の温度を推定することができる。このため、その他の場所に温度センサ１１を設けた場合であっても、循環暖気による各サーバ２への吸気の温度分布を低減することは可能である。また、温度センサ１１は、コールドアイル７以外の場所、例えばサーバルーム１内のコールドアイル７以外の場所やデータセンタの外などに設けても良い。また、ここでは、高さ方向位置制御部２１は、温度センサ１１によって検出された温度に基づいて高さ方向位置調整機構６Ｙを制御するようにしているが、これに限られるものではなく、温度に基づいて高さ方向位置調整機構６Ｙを制御するようになっていれば良い。例えば、コールドアイル７の温度（特に、サーバラック３の上部に搭載されるサーバ２の吸気側の温度）と外気の温度との間の相関がわかっている場合、外気の温度などを取得して、その温度に基づいて高さ方向位置調整機構６Ｙを制御するようにしても良い。
【００３４】
このため、高さ方向位置制御部２１は、例えばコントローラあるいはコンピュータを含み、その機能として、図７に示すように、温度取得部２３と、閾値設定部２４と、判定部２５と、制御命令部２６とを備える。
ここで、温度取得部２３は、温度センサ１１から、温度センサ１１によって検出された温度（温度データ；温度情報）を取得する。ここでは、温度センサ１１はコールドアイル７に設けられているため（図６参照）、温度取得部２３は、コールドアイル７の温度、即ち、サーバラック３に搭載されているサーバ２の吸気側の温度（吸気温度；サーバ吸気温度；温度情報）を取得する。なお、温度取得部２３を吸気温度取得部ともいう。
【００３５】
閾値設定部２４は、温度センサ１１によって検出された温度が高くなっているか否かを判定するための第１閾値、及び、温度センサ１１によって検出された温度が低くなっているか否かを判定する第２閾値を設定する。ここでは、第１閾値及び第２閾値は、同じ値に設定している。このため、第１閾値及び第２閾値として、一つの閾値が設定されている。なお、第１閾値及び第２閾値は、異なる値に設定しても良い。なお、これらの閾値を吸気温度閾値ともいう。また、閾値設定部２４を吸気温度閾値設定部ともいう。
【００３６】
判定部２５は、温度センサ１１によって検出された温度が第１閾値以上であるか否かを判定する。また、判定部２５は、温度センサ１１によって検出された温度が第２閾値未満であるか否かも判定する。ここでは、上述のように、第１閾値及び第２閾値は同じ値に設定されており、一つの閾値が設定されているため、判定部２５は、温度センサ１１によって検出された温度が閾値（＝第１閾値＝第２閾値）以上であるか否かを判定する。なお、この判定部２５における判定結果に基づいて暖気循環量が調整されるため、この判定部２５を循環量判定部ともいう。また、この判定部２５における判定結果に基づいて暖気循環量をゼロにする場合、この判定部２５で循環の要否を判定することになるため、判定部２５を循環判定部ともいう。
【００３７】
制御命令部２６は、判定部２５における判定結果に基づいて、高さ方向位置調整機構６Ｙに対して制御命令を出力する。
ここでは、判定部２５によって、温度センサ１１によって検出された温度が閾値（＝第１閾値＝第２閾値）以上であると判定された場合に、制御命令部２６は、ホットアイル８からコールドアイル７への暖気循環量が減るように高さ方向位置調整機構６Ｙを制御する制御命令を出力する。つまり、制御命令部２６は、判定部２５によって、温度センサ１１によって検出された温度が閾値（＝第１閾値＝第２閾値）以上であると判定された場合に、ダクト突出部６Ａに備えられる高さ方向位置調整機構６Ｙが伸びてその先端面６Ｘが下がるように、即ち、ダクト突出部６Ａの先端面６Ｘがサーバラック３及びコールドアイル７に近づいてダクト突出部６Ａとサーバラック３との間の開口部が狭くなるように（図３参照）、高さ方向位置調整機構６Ｙを制御する制御命令を出力する。
【００３８】
また、判定部２５によって、温度センサ１１によって検出された温度が閾値（＝第１閾値＝第２閾値）未満であると判定された場合に、制御命令部２６は、ホットアイル８からコールドアイル７への暖気循環量が増えるように高さ方向位置調整機構６Ｙを制御する制御命令を出力する。つまり、制御命令部２６は、判定部２５によって、温度センサ１１によって検出された温度が閾値（＝第１閾値＝第２閾値）未満であると判定された場合に、ダクト突出部６Ａに備えられる高さ方向位置調整機構６Ｙが縮んでその先端面６Ｘが上がるように、即ち、ダクト突出部６Ａの先端面６Ｘがサーバラック３及びコールドアイル７から遠くなってダクト突出部６Ａとサーバラック３との間の開口部が広くなるように（図４参照）、高さ方向位置調整機構６Ｙを制御する制御命令を出力する。
【００３９】
また、本実施形態では、ダクト突出部６Ａの先端部に外気導入用ファン９が取り付けられている。このため、上述の高さ方向位置調整機構６Ｙは、ダクト突出部６Ａの先端面６Ｘの高さ方向位置を調整する機構であるが、外気導入用ファン９の高さ方向位置を調整する機構でもあることになる。また、上述の高さ方向位置制御部２１は、高さ方向位置調整機構６Ｙを制御することで、ダクト突出部６Ａの先端面６Ｘの高さ方向位置を制御しているが、外気導入用ファン９の高さ方向位置を制御していることにもなる。このため、高さ方向位置制御部２１をファン高さ制御部（ファン高さ制御器）ともいう。
【００４０】
また、コールドアイル７にコールドアイル側圧力センサ１２が設けられており、ホットアイル８にホットアイル側圧力センサ１３が設けられている（図６参照）。ここでは、サーバラック３を挟んで両側に１つずつコールドアイル側圧力センサ１２及びホットアイル側圧力センサ１３が設けられている。つまり、サーバラック３に搭載されているサーバ２の吸気側に１つのコールドアイル側圧力センサ１２が設けられており、サーバ２の排気側に１つのホットアイル側圧力センサ１３が設けられている。
【００４１】
なお、圧力センサ１２、１３は、１つであっても良いし、複数であっても良い。例えば、サーバラック３の両側に１つずつ圧力センサ１２、１３を設けても良いし、サーバラック３の両側のそれぞれに複数の圧力センサ１２、１３を設けても良い。つまり、測定点は、１点以上あれば良く、測定点の数に特に制限はない。また、複数の測定点がある場合には、これらの平均値を採用するようにすれば良い。また、これらの圧力センサ１２、１３の設置場所は、各圧力センサ１２、１３がサーバラック３を挟んで同じ高さ・同じ位置になるように設置すれば良く、動圧が検出されないように設置すれば良い。
【００４２】
そして、制御部２０は、図６に示すように、コールドアイル側圧力センサ１２及びホットアイル側圧力センサ１３によって検出された圧力（圧力データ；圧力情報）に基づいて外気導入用ファン９を制御するファン制御部２２を含む。
ここでは、ファン制御部２２は、コールドアイル側圧力センサ１２によって検出された圧力がホットアイル側圧力センサ１３によって検出された圧力よりも低くなった場合に、外気導入用ファン９の回転数が上がるように外気導入用ファン９を制御するようになっている。また、ファン制御部２２は、コールドアイル側圧力センサ１２によって検出された圧力がホットアイル側圧力センサ１３によって検出された圧力よりも高くなった場合に、外気導入用ファン９の回転数が下がるように外気導入用ファン９を制御するようになっている。なお、ファン制御部２２は、外気導入用ファン９の回転数を制御するものであるため、ファン回転数制御部（ファン回転数制御器）ともいう。
【００４３】
このため、ファン制御部２２は、例えばコントローラあるいはコンピュータを含み、その機能として、図７に示すように、コールドアイル側圧力取得部２８と、ホットアイル側圧力取得部２７と、差圧演算部２９と、差圧判定部３０と、制御命令部３１とを備える。
ここで、コールドアイル側圧力取得部２８は、コールドアイル側圧力センサ１２によって検出された圧力を取得する。ここでは、コールドアイル側圧力センサ１２は、コールドアイル７におけるサーバ２への吸気の圧力（静圧）を検出するようになっているため、コールドアイル側圧力取得部２８は、コールドアイル７におけるサーバ２への吸気の圧力（静圧；静圧情報）を取得する。このため、コールドアイル側圧力取得部２８を、吸気圧力取得部、サーバ吸気圧力取得部、吸気静圧取得部又はサーバ吸気静圧取得部ともいう。
【００４４】
ホットアイル側圧力取得部２７は、ホットアイル側圧力センサ１３によって検出された圧力を取得する。ここでは、ホットアイル側圧力センサ１３は、ホットアイル８におけるサーバ２からの排気の圧力（静圧）を検出するようになっているため、ホットアイル側圧力取得部２７は、ホットアイル８におけるサーバ２からの排気の圧力（静圧；静圧情報）を取得する。このため、ホットアイル側圧力取得部２７を、排気圧力取得部、サーバ排気圧力取得部、排気静圧取得部又はサーバ排気静圧取得部ともいう。
【００４５】
差圧演算部２９は、コールドアイル側圧力取得部２８によって取得された圧力とホットアイル側圧力取得部２７によって取得された圧力の差圧（差圧値；差圧データ）を算出する。つまり、差圧演算部２９は、サーバ吸気圧力とサーバ排気圧力の差圧（サーバ吸気圧力−サーバ排気圧力）を算出する。
差圧判定部３０は、差圧演算部２９によって算出された差圧（吸排気差圧）が０未満であるか否か（サーバ排気圧力の方が大きいか否か）、差圧演算部２９によって算出された差圧が０よりも大きいか否か（サーバ吸気圧力の方が大きいか否か）を判定する。
【００４６】
制御命令部３１は、差圧判定部３０における判定結果に基づいて外気導入用ファン９を制御するための命令を出力する。
ここでは、差圧判定部３０によって差圧が０未満であると判定された場合、サーバ排気圧力の方が大きいため、即ち、サーバ吸気圧力の方が小さいため（コールドアイル７の圧力の方が小さいため）、差圧を０に近づけるために、外気導入用ファン９の回転数が上がるように外気導入用ファン９を制御するための命令を出力する。
【００４７】
一方、差圧判定部３０によって差圧が０よりも大きいと判定された場合、サーバ吸気圧力の方が大きいため（コールドアイル７の圧力の方が大きいため）、差圧を０に近づけるために、外気導入用ファン９の回転数が下げるように外気導入用ファン９を制御するための命令を出力する。
このように、差圧が０未満であると判定された場合、コールドアイル７の圧力の方が小さいため、外気導入用ファン９の回転数を上げ、差圧が０よりも大きいと判定された場合、コールドアイル７の圧力の方が大きいため、外気導入用ファン９の回転数を下げる。これにより、差圧が０に近づくように、即ち、コールドアイル７の圧力とホットアイル８の圧力とが一致するように、外気導入用ファン９の回転数を制御することで、外気導入用ファン９を介して導入される外気の流量を増減させるようにしている。このため、差圧判定部３０及び制御命令部３１によって、外気導入用ファン９を介して導入する外気の流量（風量）の増減を決定していることになるため、風量判定・制御命令部ともいう。
【００４８】
ここでは、上述の高さ方向位置調整機構６Ｙを制御することによって暖気循環量が変化し、さらに、サーバ２の稼働状態が変化し、サーバ内蔵ファン１０の回転数、即ち、サーバ内蔵ファン１０による風量が変化していることも想定されるため、上述のようにして、吸排気差圧情報に基づいて、外気導入用ファン９とサーバ内蔵ファン１０のどちらの風量が大きくなっているかを判断し、吸排気差圧が０未満（排気静圧の方が大きい）場合には、ファン制御部２２によって、外気導入用ファン９の回転数を上げるように外気導入用ファン９の回転数を制御し、逆に、吸排気差圧が０よりも大きい（吸気静圧の方が大きい）場合には、ファン制御部２２によって、外気導入用ファン９の回転数を下げるように外気導入用ファン９の回転数を制御する。
【００４９】
なお、温度センサ１１での計測及び高さ方向位置調整機構６Ｙによる高さ方向位置の制御の間隔（計測・動作間隔）、及び、圧力センサ１２、１３での計測及び外気導入用ファン９の回転数の制御の間隔（計測・動作間隔）については、サーバ２の稼働状態が毎秒毎に変化することから、圧力センサ１２、１３での計測及び外気導入用ファン９の回転数の制御の間隔は例えば約１０秒前後を目安とするのが好ましい。しかしながら、循環暖気によって吸気温度が上がるまでに時間がかかり、高さ方向位置調整機構６Ｙによる高さ方向位置の制御でハンチングを起こすおそれがある。このため、温度センサ１１での計測及び高さ方向位置調整機構６Ｙによる高さ方向位置の制御の間隔については例えば約１０分程度まで計測・動作間隔を遅らせることも可能である。この場合、例えば約１０秒前後の間隔で圧力センサ１２、１３での計測及び外気導入用ファン９の回転数の制御を繰り返し行ない、約１０分程度の間隔で温度センサ１１での計測及び高さ方向位置調整機構６Ｙによる高さ方向位置の制御を行なうことになる。
【００５０】
次に、本実施形態にかかる循環制御システムによる制御の流れ（循環制御方法）について、図８を参照しながら説明する。
図８に示すように、まず、制御部２０に含まれる高さ方向位置制御部２１は、温度取得部２３によって、温度センサ１１によって検出された温度（吸気温度）を取得する（ステップＳ１）。また、制御部２０に含まれるファン制御部２２は、コールドアイル側圧力取得部２８によって、コールドアイル側圧力センサ１２によって検出された圧力（吸気静圧）を取得する（ステップＳ１）。また、制御部２０に含まれるファン制御部２２は、ホットアイル側圧力取得部２７によって、ホットアイル側圧力センサ１３によって検出された圧力（排気静圧）を取得する（ステップＳ１）。
【００５１】
次に、ファン制御部２２は、差圧演算部２９によって、差圧（吸排気差圧；吸気静圧−排気静圧）を算出する（ステップＳ２）。
次に、高さ方向位置制御部２１は、判定部２５によって、温度センサ１１によって検出された温度が、閾値設定部２４で設定された閾値（＝第１閾値＝第２閾値）以上であるか否かを判定する（ステップＳ３）。
【００５２】
この判定の結果、温度センサ１１によって検出された温度が閾値以上であると判定された場合、ＹＥＳルートへ進み、高さ方向位置制御部２１は、制御命令部２６によって、高さ方向位置調整機構６Ｙに対して制御命令を出力する（ステップＳ４）。
ここでは、判定部２５によって、温度センサ１１によって検出された温度が閾値（＝第１閾値＝第２閾値）以上であると判定された場合、高さ方向位置制御部２１は、制御命令部２６によって、ホットアイル８からコールドアイル７への暖気循環量が減るように高さ方向位置調整機構６Ｙを制御する制御命令を出力する。つまり、判定部２５によって、温度センサ１１によって検出された温度が閾値（＝第１閾値＝第２閾値）以上であると判定された場合、高さ方向位置制御部２１は、制御命令部２６によって、ダクト突出部６Ａに備えられる高さ方向位置調整機構６Ｙが伸びてその先端面６Ｘが下がるように、即ち、ダクト突出部６Ａの先端面６Ｘがサーバラック３及びコールドアイル７に近づいてダクト突出部６Ａとサーバラック３との間の開口部が狭くなるように、高さ方向位置調整機構６Ｙを制御する制御命令を出力する（ステップＳ４）。
【００５３】
一方、温度センサ１１によって検出された温度が閾値未満であると判定された場合、ＮＯルートへ進み、高さ方向位置制御部２１は、制御命令部２６によって、高さ方向位置調整機構６Ｙに対して制御命令を出力する（ステップＳ５）。
ここでは、判定部２５によって、温度センサ１１によって検出された温度が閾値（＝第１閾値＝第２閾値）未満であると判定された場合、高さ方向位置制御部２１は、制御命令部２６によって、ホットアイル８からコールドアイル７への暖気循環量が増えるように高さ方向位置調整機構６Ｙを制御する制御命令を出力する。つまり、判定部２５によって、温度センサ１１によって検出された温度が閾値（＝第１閾値＝第２閾値）未満であると判定された場合、高さ方向位置制御部２１は、制御命令部２６によって、ダクト突出部６Ａに備えられる高さ方向位置調整機構６Ｙが縮んでその先端面６Ｘが上がるように、即ち、ダクト突出部６Ａの先端面６Ｘがサーバラック３及びコールドアイル７から遠くなってダクト突出部６Ａとサーバラック３との間の開口部が広くなるように、高さ方向位置調整機構６Ｙを制御する制御命令を出力する（ステップＳ５）。
【００５４】
次に、ファン制御部２２は、差圧判定部３０によって、差圧が０未満であるか否か（サーバ排気圧力の方が大きいか否か）を判定する（ステップＳ６）。
この判定の結果、差圧が０未満であると判定された場合、ＹＥＳルートへ進み、ファン制御部２２は、制御命令部３１によって、外気導入用ファン９を制御するための命令を出力する（ステップＳ７）。
【００５５】
ここでは、差圧判定部３０によって差圧が０未満であると判定された場合、ファン制御部２２は、制御命令部３１によって、差圧を０に近づけるために、外気導入用ファン９の回転数が上がるように外気導入用ファン９を制御するための命令を出力する（ステップＳ７）。
一方、差圧が０以上であると判定された場合、ＮＯルートへ進み、さらに、ファン制御部２２は、差圧判定部３０によって、差圧が０よりも大きいか否か（サーバ吸気圧力の方が大きいか否か）を判定する（ステップＳ８）。
【００５６】
この判定の結果、差圧が０よりも大きいと判定された場合、ＹＥＳルートへ進み、ファン制御部２２は、制御命令部３１によって、外気導入用ファン９を制御するための命令を出力する（ステップＳ９）。
ここでは、差圧判定部３０によって差圧が０よりも大きいと判定された場合、ファン制御部２２は、制御命令部３１によって、差圧を０に近づけるために、外気導入用ファン９の回転数が下げるように外気導入用ファン９を制御するための命令を出力する。
【００５７】
一方、差圧が０よりも大きくない、即ち、差圧が０であると判定された場合、ファン制御部２２は、外気導入用ファン９の制御を行なうことなく、処理を終了する。
したがって、本実施形態にかかる循環制御システム及び情報処理システムによれば、サーバ２からの排気の一部を循環させる場合に、サーバ２への吸気の温度を調整できるという利点がある。
【００５８】
ここで、このような効果を確認すべく、実際のサーバルームと同等の構成でモデルを組み、熱流体解析を行なったところ、以下のような結果が得られた。
ここで、図９は、熱流体解析に用いたモデルを示している。ここでは、１フロアのサーバルーム１を、横１３．２ｍ×奥行き８．５ｍ×高さ６．１ｍとし、その内部に、横１ｍ×奥行き０．６ｍ×高さ２．４ｍのサーバラック３を１列当り１２台で合計６列並べている。また、各サーバラック３はサーバ２の吸気側と排気側が対面するように、向きが交互に配置されている。また、コールドアイル７の上方には２．２ｍ幅の外気導入用ダクトの突出部６Ａがあり、その先端部に外気導入用ファン９が設置されている。また、外気導入用ファン９の大きさは１ｍ角、設置台数は１列当り４台、計３列である。また、サーバラック３には６Ｕのサーバ２が１ラック当り８台搭載されており、サーバ２の発熱量は１ラック当り３ｋＷである。また、ダクト突出部６Ａの先端面６Ｘ、即ち、外気導入用ファン９の高さ方向位置は可変とし、ここでは、３ｍ、４ｍ、５ｍとした。
【００５９】
このような熱流体解析モデルで、外気温５℃の時に、コールドアイル７とホットアイル８間の温度差が１０℃、吸気温度が２０℃になるように、外気導入用ファン９及びサーバ内蔵ファンの風量を設定し、サーバ横方向と、サーバ正面方向（吸気直前）の温度解析を行なった。
ここで、図１０は、サーバルームの温度解析結果のうち、サーバ横方向から見た図を示しており、図１１は、サーバルームの温度解析結果のうち、サーバ正面方向（吸気直前）から見た図を示している。なお、図１０（Ａ）、図１１（Ａ）は高さ方向位置が３ｍの場合、図１０（Ｂ）、図１１（Ｂ）は高さ方向位置が４ｍの場合、図１０（Ｃ）、図１１（Ｃ）は高さ方向位置が５ｍの場合を示している。
【００６０】
図１０（Ａ）〜図１０（Ｃ）、図１１（Ａ）〜図１１（Ｃ）に示すように、ダクト突出部６Ａの先端面６Ｘの高さ方向位置、即ち、外気導入用ファン９の高さ方向位置を上げることで、暖気循環量が増え、吸気温度を高くし、均一にすることができることが確認できた。ここでは、図１０（Ａ）、図１１（Ａ）の高さ方向位置を３ｍにした場合には、吸気温度の最高が３３．２℃、最低が１６．８℃であり、平均が２１．６℃であり、図１０（Ｂ）、図１１（Ｂ）の高さ方向位置を４ｍにした場合には、吸気温度の最高が２９．２℃、最低が１７．９℃であり、平均が２１．８℃であり、図１０（Ｃ）、図１１（Ｃ）の高さ方向位置を５ｍにした場合には、吸気温度の最高が２４．９℃、最低が２１℃であり、平均が２２．３℃であった。このように、ダクト突出部６Ａの先端面６Ｘの高さ方向位置、即ち、外気導入用ファン９の高さ方向位置を上げることで、暖気循環量が増え、吸気温度を高くし、均一にすることができることが確認できた。このため、冬季や雨季のような、サーバ２の吸気温度を上げたい気象条件の際には、ダクト突出部６Ａの先端面６Ｘの高さ方向位置、即ち、外気導入用ファン９の高さ方向位置を上げ、暖気循環量を増やせば良い。一方、中間期のような、サーバの２吸気温度を上げる必要がないときには、ダクト突出部６Ａの先端面６Ｘの高さ方向位置、即ち、外気導入用ファン９の高さ方向位置を下げ、暖気循環量を減らせば良い。
【００６１】
なお、本発明は、上述した実施形態に記載した構成に限定されるものではなく、本発明の趣旨を逸脱しない範囲で種々変形することが可能である。
以下、上述の実施形態及び変形例に関し、更に、付記を開示する。
（付記１）
電子機器搭載ラックの一方の側のコールドアイルの上方に設けられ、先端面の高さ方向位置を調整する高さ方向位置調整機構を有するダクト突出部と、
前記電子機器搭載ラックの他方の側のホットアイルから前記コールドアイルへの暖気循環量が変わるように温度に基づいて前記高さ方向位置調整機構を制御する制御部とを備えることを特徴とする循環制御システム。
【００６２】
（付記２）
前記制御部は、温度が第１閾値以上になった場合に、前記ホットアイルから前記コールドアイルへの暖気循環量が減るように、前記高さ方向位置調整機構を制御することを特徴とする、付記１に記載の循環制御システム。
（付記３）
前記制御部は、温度が第２閾値未満になった場合に、前記ホットアイルから前記コールドアイルへの暖気循環量が増えるように、前記高さ方向位置調整機構を制御することを特徴とする、付記１又は２に記載の循環制御システム。
【００６３】
（付記４）
前記コールドアイルに設けられた温度センサを備え、
前記制御部は、前記温度センサによって検出された温度に基づいて前記高さ方向位置調整機構を制御することを特徴とする、付記１〜３のいずれか１項に記載の循環制御システム。
【００６４】
（付記５）
前記ダクト突出部に、外気導入用ファンが取り付けられており、
前記コールドアイルに設けられたコールドアイル側圧力センサと、
前記ホットアイルに設けられたホットアイル側圧力センサとを備え、
前記制御部は、前記コールドアイル側圧力センサ及び前記ホットアイル側圧力センサによって検出された圧力に基づいて前記外気導入用ファンを制御することを特徴とする、付記１〜４のいずれか１項に記載の循環制御システム。
【００６５】
（付記６）
前記制御部は、前記コールドアイル側圧力センサによって検出された圧力が前記ホットアイル側圧力センサによって検出された圧力よりも低くなった場合に、前記外気導入用ファンの回転数が上がるように前記外気導入用ファンを制御することを特徴とする、付記５に記載の循環制御システム。
【００６６】
（付記７）
前記制御部は、前記コールドアイル側圧力センサによって検出された圧力が前記ホットアイル側圧力センサによって検出された圧力よりも高くなった場合に、前記外気導入用ファンの回転数が下がるように前記外気導入用ファンを制御することを特徴とする、付記５又は６に記載の循環制御システム。
【００６７】
（付記８）
前記電子機器搭載ラックに搭載された電子機器と、
付記１〜７のいずれか１項に記載の循環制御システムを有し、前記ダクト突出部から前記コールドアイルに供給された外気及び前記ホットアイルから前記コールドアイルへの循環暖気によって前記電子機器を冷却する冷却システムとを備えることを特徴とする情報処理システム。
【符号の説明】
【００６８】
１  サーバルーム
２  サーバ（電子機器）
３  サーバラック（電子機器搭載ラック）
４  外気導入口
５  排気口
６  外気導入用ダクト
６Ａ  ダクト突出部
６Ｘ  先端面
６Ｙ  高さ方向位置調整機構
７  コールドアイル
８  ホットアイル
９  外気導入用ファン
１０  サーバ内蔵ファン（電子機器内蔵ファン）
１１  温度センサ
１２  コールドアイル側圧力センサ
１３  ホットアイル側圧力センサ
２０  制御部
２１  高さ方向位置制御部
２２  ファン制御部
２３  温度取得部
２４  閾値設定部
２５  判定部
２６  制御命令部
２７  ホットアイル側圧力取得部
２８  コールドアイル側圧力取得部
２９  差圧演算部
３０  差圧判定部
３１  制御命令部
６０  暖気排出用ダクト
６０Ａ  突出部（ダクト突出部）
６０Ｘ  先端面
６０Ｙ  高さ方向位置調整機構
【図７】
2016091524.tif 000003
【図８】
2016091524.tif 000004
【図１】
2016091524.tif 000005
【図２】
2016091524.tif 000006
【図３】
2016091524.tif 000007
【図４】
2016091524.tif 000008
【図５】
2016091524.tif 000009
【図６】
2016091524.tif 000010
【図９】
2016091524.tif 000011
【図１０】
2016091524.tif 000012
【図１１】
2016091524.tif 000013